(57)【要約】      （修正有）【課題】水耕栽培される野菜の種類に応じて、貫通孔の間隔等を変えることができ、汎用性に優れ、製造コストを抑制することができる発泡樹脂製の水耕栽培用パネルを提供する。【解決手段】発泡樹脂製の水耕栽培用パネル１は、平面板２１に定間隔で形成された複数の貫通溝２２を有するパネル本体２と、貫通溝２２の夫々に嵌め込まれる複数の入れ子部材３と、を備える。入れ子部材３は、その上面から下面に貫通するように形成され、植物Ｐが植えられた栽培ポット４を保持する貫通孔３２を有する。この構成によれば、１つのパネル本体２に対して、貫通孔３２の個数等が異なる複数種の入れ子部材３を適宜に選択して装着させるので、野菜の種類に応じて、汎用性に優れたものとなる。また、パネル本体２を成形する大きな金型は一種類で済み、複数種の入れ子部材３には小さな金型を作成すればよいので、製造コストを抑制することができる。【選択図】図１
2019004810.tif 000002
【特許請求の範囲】
【請求項１】
植物を培養液に浮遊させた状態で保持する発泡樹脂製の水耕栽培用パネルであって、
平面板に定間隔で形成された複数の貫通溝を有するパネル本体と、複数の前記貫通溝の夫々に嵌め込まれる複数の入れ子部材と、を備え、
前記入れ子部材は、該入れ子部材の上面から下面に貫通するように形成され、植物が植えられた栽培ポットを保持する貫通孔を有することを特徴とする水耕栽培用パネル。
【請求項２】
前記パネル本体に対して、前記貫通孔の個数、配置又は大きさが異なる複数種の前記入れ子部材を装着可能なように構成されていることを特徴とする請求項１に記載の水耕栽培用パネル。
【請求項３】
前記貫通溝は、前記パネル本体の上面側に開口した上溝と、下面側に開口した下溝と、を有し、前記上溝の開口は、前記下溝の開口よりも大きく、
前記入れ子部材は、前記上溝の形状に対応した上部材と、前記下溝の形状に対応した下部材と、を有することを特徴とする請求項１又は請求項２に記載の水耕栽培用パネル。
【請求項４】
前記パネル本体及び前記入れ子部材は、一方が他方と係合するための凸部及び凹部を夫々有することを特徴とする請求項１乃至請求項３のいずれか一項に記載の水耕栽培用パネル。
【請求項５】
前記パネル本体及び前記入れ子部材は、夫々異なる物性の材料により形成され得ることを特徴とする請求項１乃至請求項４のいずれか一項に記載の水耕栽培用パネル。
【請求項６】
前記貫通孔は、前記入れ子部材の上面側に開口した上孔と、下面側に開口した下孔と、を有し、前記下孔の開口は、前記上孔の開口よりも小さく、前記貫通孔に装着された栽培ポットが前記下孔の開口よりも上位置で保持されることを特徴とする請求項１乃至請求項５のいずれか一項に記載の水耕栽培用パネル。
【発明の詳細な説明】
【技術分野】
【０００１】
本発明は、植物を培養液に浮遊させた状態で保持する発泡樹脂製の水耕栽培用パネルに関する。
【０００２】
従来から、土壌ではなく、循環させた培養液を用いて、野菜等の植物を栽培する水耕栽培に関する種々の技術が開発されている。この種の技術として、例えば、発泡スチロール等の浮力基体を用いた水耕栽培用パネルが知られている（例えば、特許文献１参照）。
【０００３】
このような水耕栽培用パネルには、複数の貫通孔が形成されており、水耕栽培を行う際には、培養液に浮かせた水耕栽培用パネルの貫通孔内に、植物の苗が植えられた植栽体（栽培ポット）が嵌合、保持される。栽培ポットは、例えば、ウレタンフォームといった多孔質材料から成り、栽培ポットに植えられた植物の根が、下方に向かって生育して培養液に浸され、植物に養分や水分が供給される。植物が生育して出荷される際には、植物と共に栽培ポットを取り外すことにより、水耕栽培用パネル自体は、繰り返し使用することができる。
【先行技術文献】
【特許文献】
【０００４】
【特許文献１】特開２００９−１７１９４４号公報
【発明の概要】
【発明が解決しようとする課題】
【０００５】
水耕栽培される野菜には、例えば、葱や三つ葉のように、上方向に伸長する一方で周囲方向への広がりが小さいものから、リーフレタスのように、葉が周囲方向にも大きく広がるものがある。上記のような水耕栽培用パネルを用いて植物を水耕栽培する際には、葉の広がりが大きな野菜には、貫通孔の間隔が広いものが用いられ、葉の広がりが小さい野菜には、貫通孔の間隔が狭いものが用いられる。また、貫通孔の大きさも、水耕栽培される野菜によって異なる。すなわち、水耕栽培用パネルは、水耕栽培される野菜の種類に応じて、貫通孔の間隔や配置、大きさ等が異なるものが用いられる。
【０００６】
ところで、水耕栽培用パネルの浮力基体となる発泡スチロール製品は、一般的に金型により成形される。しかしながら、水耕栽培用パネルは、一辺の長さが８００ｍｍ以上になることもあり、金型のサイズも大きい。そのため、仮に貫通孔の間隔等が異なる水耕栽培用パネル毎に、金型を作成すると、製造コストが高くなってしまう。また、サイズの大きな水耕栽培用パネルが複数種あると、それらの保管スペースも広く確保する必要があり、複数種の野菜を栽培する生産者にとってもマイナス面が生じる。
【０００７】
本発明は、上記課題を解決するためになされたものであり、水耕栽培される野菜の種類に応じて、貫通孔の間隔等を変えることができ、汎用性に優れ、製造コストを抑制することができる水耕栽培用パネルを提供することを目的とする。
【課題を解決するための手段】
【０００８】
上記目的を達成するために本発明は、植物を培養液に浮遊させた状態で保持する発泡樹脂製の水耕栽培用パネルであって、平面板に定間隔で形成された複数の貫通溝を有するパネル本体と、複数の前記貫通溝の夫々に嵌め込まれる複数の入れ子部材と、を備え、前記入れ子部材は、該入れ子部材の上面から下面に貫通するように形成され、植物が植えられた栽培ポットを保持する貫通孔を有することを特徴とする。
【０００９】
上記水耕栽培用パネルにおいて、前記パネル本体に対して、前記貫通孔の個数、配置又は大きさが異なる複数種の前記入れ子部材を装着可能なように構成されていることが好ましい。
【００１０】
上記水耕栽培用パネルにおいて、前記貫通溝は、前記パネル本体の上面側に開口した上溝と、下面側に開口した下溝と、を有し、前記上溝の開口は、前記下溝の開口よりも大きく、前記入れ子部材は、前記上溝の形状に対応した上部材と、前記下溝の形状に対応した下部材と、を有することが好ましい。
【００１１】
上記水耕栽培用パネルにおいて、前記パネル本体及び前記入れ子部材は、一方が他方と係合するための凸部及び凹部を夫々有することが好ましい。
【００１２】
上記水耕栽培用パネルにおいて、前記パネル本体及び前記入れ子部材は、夫々異なる物性の材料により形成され得ることが好ましい。
【００１３】
上記水耕栽培用パネルにおいて、前記貫通孔は、前記入れ子部材の上面側に開口した上孔と、下面側に開口した下孔と、を有し、前記下孔の開口は、前記上孔の開口よりも小さく、前記貫通孔に装着された栽培ポットが前記下孔の開口よりも上位置で保持されること
が好ましい。
【発明の効果】
【００１４】
本発明によれば、１のパネル本体に対して、貫通孔の個数等が異なる複数種の入れ子部材を、野菜の種類に応じて適宜に選択して装着させるので、汎用性に優れたものとすることができる。また、パネル本体を成形する大きな金型は一種類で済み、複数種の入れ子部材を形成するには小さな金型を作成すればよいので、製造コストを抑制することができる。
【図面の簡単な説明】
【００１５】
【図１】（ａ）は本発明の一実施形態に係る水耕栽培用パネルのパネル本体と、パネル本体に装着される入れ子部材を分離した構成を示す斜視図、（ｂ）はパネル本体に入れ子部材を装着させた構成を示す斜視図。
【図２】（ａ）はパネル本体の上面図、（ｂ）はパネル本体の正面図、（ｃ）はパネル本体の側面図、（ｄ）はパネル本体の底面図。
【図３】（ａ）は図２（ａ）のＡ−Ａ線断面図、（ｂ）はＢ−Ｂ線断面図、（ｃ）は（ａ）のＣ領域の拡大図。
【図４】入れ子部材の一構成例を示す斜視図。
【図５】（ａ）は入れ子部材の上面図、（ｂ）は入れ子部材の正面図、（ｃ）は入れ子部材の側面図、（ｄ）は入れ子部材の正面図、（ｅ）は（ｂ）のＤ−Ｄ線断面図。
【図６】上記水耕栽培パネルの使用時の側断面図。
【図７】（ａ）は入れ子部材の一構成例を示す斜視図、（ｂ）は（ａ）の入れ子部材を装着させた水耕栽培用パネルの一構成例を示す斜視図。
【図８】（ａ）は入れ子部材の一構成例を示す斜視図、（ｂ）は（ａ）及び図７（ａ）の入れ子部材を装着させた水耕栽培用パネルの一構成例を示す斜視図。
【図９】（ａ）は入れ子部材の一構成例を示す斜視図、（ｂ）は（ａ）の入れ子部材を装着させた水耕栽培用パネルの一構成例を示す斜視図。
【図１０】（ａ）は入れ子部材の別の一構成例を示す斜視図、（ｂ）は上面図、（ｃ）は底面図、（ｄ）は（ｃ）のＥ−Ｅ線断面図。
【図１１】上記水耕栽培パネルの使用時の側断面図。
【発明を実施するための形態】
【００１６】
本発明の一実施形態に係る水耕栽培用パネルについて、図１乃至図９を参照して説明する。図１（ａ）（ｂ）に示すように、本実施形態の水耕栽培用パネル１は、植物を培養液に浮遊させた状態で保持するものである。水耕栽培用パネル１は、平坦なパネル本体２と、このパネル本体２に装着される入れ子部材３と、を備える。パネル本体２及び入れ子部材３は、いずれも発泡合成樹脂の成形体であり、例えば、熱可塑性樹脂の発泡用の粒子を型内に充填し加熱し、発泡させて一体成形される。熱可塑性樹脂は、例えば、スチレン系樹脂であり、又はスチレン系樹脂に、例えば、エチレン系樹脂やオレフィン系樹脂といった他の樹脂を混合させた複合樹脂であってもよい。
【００１７】
パネル本体２は、上面視が略矩形状の平面板２１と、この平面板２１に定間隔で形成された複数の貫通溝２２と、を有する。入れ子部材３は、略短冊状の平板片３１であり、パネル本体２の複数の貫通溝２２の夫々に嵌め込まれる。入れ子部材３は、その主体を成す平板片３１の上面から下面に貫通するように貫通孔３２が形成されている。この貫通孔３２に、植物Ｐが植えられた栽培ポット４が嵌合、保持される。水耕栽培用パネル１は、入れ子部材３の貫通孔３２に保持された栽培ポット４を脱着することにより、繰り返し使用することができる。なお、栽培ポット４は、ウレタンフォーム等といった吸水性及び弾力性のある多孔質材料により形成され、生育した植物Ｐが生育し収穫された後に回収され、処分される。
【００１８】
図２（ａ）乃至（ｄ）に示すように、パネル本体２は、所定厚の平面板２１を主体とし、上面視において一方の辺（図例では正面側の辺）が他方の辺（図例では側面側の辺）よりも長い長方形形状となるように形成されている。また、平面板２１の四方の角部は、丸みを帯びるように面取りされている。貫通溝２２は、平面板２１の上面から下面に貫通するように、上面視において帯長の略矩形となるように形成されている。図例では、平面板２１の長手方向の辺に沿って２行、短手方向の辺に沿って８列、計１６個の貫通溝２２が形成されているが、貫通溝２２の個数や配置は、図示した構成に限られない。また、貫通溝２２の形状は、入れ子部材３の形状に対応していればよく、図示した上面視矩形状に限られない。なお、貫通溝２２が矩形である場合には、それらの隅部は、ひび割れ抑制するため、丸みを帯びるようにＲ状に形成されていることが好ましい。
【００１９】
図３（ａ）乃至（ｃ）に示すように、貫通溝２２は、パネル本体２の上面側に開口した上溝２３と、下面側に開口した下溝２４と、を有する（特に、図３（ｃ）参照）。上溝２３の開口は、下溝２４の開口よりも大きくなるように形成されている。上溝２３及び下溝２４は、いずれもパネル本体２の平面に対して垂直に切り抜かれるように形成されており、パネル本体２の平面と略平行な段違い部２５がそれらを接続している。また、下溝２４の内面には、全周に亘って凹部２６が形成されている。
【００２０】
図４及び図５（ａ）乃至（ｅ）に示すように、入れ子部材３は、パネル本体２の板厚と略同じ厚さの平板片３１を主体とし、上面視において一方の辺（図例では正面側の辺）が他方の辺（図例では側面側の辺）よりも長い短冊状となるように形成されている。平板片３１の四方の角部は、丸みを帯びるように面取りされている。貫通孔３２は、入れ子部材３の平面に対して垂直な円筒状に切り抜かれるように形成されている。図例では、平板片３１の長手方向の辺に沿って等間隔に４個の貫通孔３２が形成されているが、貫通孔３２の個数や配置、大きさ、形状等は、図示した構成に限られない。
【００２１】
入れ子部材３は、パネル本体２の貫通溝２２の上溝２３の形状に対応した上部材３３と、下溝２４の形状に対応した下部材３４と、を有する。底面視において、上部材３３が下部材３４よりも大きく（図５（ｂ）参照）、正面視、側面視では、上部材３３が下部材３４に対して水平方向に張り出した形状となっている（図５（ｃ）（ｄ））。下部材３４の外面には、全周に亘って凸部３５が形成されている。
【００２２】
本実施形態の水耕栽培用パネル１は、植物Ｐを栽培する際に、パネル本体２の貫通溝２２に、パネル本体２の上面側から入れ子部材３を嵌め込んで装着させることで使用される。このとき、入れ子部材３の上部材３３が、貫通溝２２の段違い部２５に当接するので、入れ子部材３が、パネル本体２の下面側に突き抜けることもなく、パネル本体２の上面側から入れ子部材３を押し込むことで、入れ子部材３をパネル本体２に容易に装着させることができる。また、入れ子部材３の貫通孔３２に栽培ポット４を差し込む際にも、入れ子部材３が、パネル本体２の下面側に突き抜けることを抑制することができる。
【００２３】
また、パネル本体２側の貫通溝２２の内面に形成された凹部２６と、入れ子部材３の外面に形成された凸部３５とが係合するので、貫通溝２２に装着された入れ子部材３が、パネル本体２の上面側に外れることを抑制することができる。特に、生育した植物Ｐを収穫する際には、植物Ｐを栽培ポット４ごと回収するので、この際に、栽培ポット４に引っ張られて入れ子部材３が外れてしまうことを防止することができる。
【００２４】
凸部３５は、緩やかな丸みを帯びるように、約１ｍｍ程度、突出していればよい。凸部３５の外周サイズは、貫通溝２２の下溝２４の内周サイズよりも僅かに大きい。貫通溝２２の下溝２４に、入れ子部材３の下部材３４を差し込み、更に入れ子部材３を上方から押し込むことで、発泡樹脂の弾性により、凸部３５は、下溝２４内に挿入されて凹部２６の位置で係合される。なお、ここでは、パネル本体２側に凹部２６を、入れ子部材３側に凸部３５を設けた構成を示すが、パネル本体２側に凸部を、入れ子部材３側に凹部を設けてもよい。
【００２５】
このようにしてパネル本体２に入れ子部材３が装着された状態で、入れ子部材３に形成された貫通孔３２に、植物Ｐの苗が植えられた栽培ポット４が装着される。図６は、本実施形態の水耕栽培用パネルを用いて、植物Ｐを栽培している様子を示す。植物Ｐが植えられた栽培ポット４が装着された水耕栽培用パネル１は、水槽５に満たされた培養液６に浮かべて使用される。水耕栽培用パネル１は、それ自体が発泡樹脂により形成されているので、植物Ｐが植えられた状態の水耕栽培用パネル１が培養液６に浮くために必要な浮力を得ることができる。
【００２６】
培養液６は、植物Ｐの生育に必要な養分及び水分を供給し、必要に応じて循環される。栽培ポット４は、ウレタンフォームといった多孔質材料で形成されているので、培養液６を吸い込み、植物Ｐの根に養分及び水分を供給することができる。なお、水槽５は、複数の水耕栽培用パネル１を列状に並べて載置できるものであってもよく、植物Ｐの生育段階に応じて、植物Ｐが植えられた状態の水耕栽培用パネル１を移動できるように構成されていてもよい。
【００２７】
本実施形態の水耕栽培用パネル１は、パネル本体２に対して、貫通孔３２の個数、配置又は大きさが異なる複数種の入れ子部材３（後述する入れ子部材３Ａ〜３Ｃ）を装着可能なように構成されている。図７（ａ）に示す入れ子部材３Ａは、その中心を挟んで均等な位置に２個の貫通孔３２が形成されている。この入れ子部材３Ａを、パネル本体２に装着させると、図７（ｂ）に示すように、水耕栽培用パネル１の長手方向における貫通孔３２の間隔を広くすることができる。
【００２８】
また、図８（ａ）に示す入れ子部材３Ｂは、貫通孔３２が形成されていない。この入れ子部材３Ｂと、図７（ａ）で示した入れ子部材３Ａとを組み合わせてパネル本体２に装着させると、図８（ｂ）に示すように、水耕栽培用パネル１の長手方向だけでなく、短手方向における貫通孔３２の間隔を広くすることができる。
【００２９】
更に、図９（ａ）に示す入れ子部材３Ｃは、その中心を挟んで不均等な位置に２個の貫通孔３２が形成されている。この入れ子部材３Ｃは、隣り合う入れ子部材３Ｃの貫通孔３２の位置が逆向きになるように配置して、パネル本体２に装着される。これにより、図９（ｂ）に示すように、貫通孔３２を水耕栽培用パネル１の平面上において千鳥格子状に配置することができ、貫通孔３２の間隔を広くし、且つ貫通孔３２の個数を多くすることができる。
【００３０】
このように、本実施形態の水耕栽培用パネル１は、１つのパネル本体２に対して、貫通孔３２の個数や配置等の異なる複数種の入れ子部材３を適宜に選択して装着させる。これにより、葉の広がりが大きな野菜には、貫通孔３２の間隔を広くすることができる入れ子部材３が用いられ、葉の広がりが小さい野菜には、貫通孔３２の間隔を狭くすることができる入れ子部材３が用いられる。従って、水耕栽培される野菜の種類に応じて、貫通孔３２の間隔等を変えることができ、汎用性に優れた水耕栽培用パネル１を得ることができる。
【００３１】
また、パネル本体２は、一辺の長さが８００ｍｍ以上であり、金型のサイズも大きいが、この大きな金型を一種類で済み、パネル本体２よりも小さい入れ子部材３に、貫通孔３２の可数や位置が異なる複数種の小さな金型を作成すればよいので、製造コストを抑制することができる。また、水耕栽培用パネル１を使用する生産者にとっても、サイズの大きなパネル本体２は１種類しかないので、保管スペースの確保が容易になる。
【００３２】
なお、葉の広がりが大きな野菜に対して、貫通孔の間隔が狭いものを用いた場合、使用されない貫通孔から培養液に光が差し込んで藻が繁殖することがある。そのため、この場合には、使用されない多数の貫通孔の一つ一つに蓋をする手間のかかる作業が必要となる。これに対して、本実施形態の水耕栽培用パネル１では、栽培する野菜の種類に応じて、入れ子部材３を取り換えればよいので、貫通孔に蓋をする作業を不要とすることができる。
【００３３】
また、本実施形態の水耕栽培用パネル１は、パネル本体２及び入れ子部材３が、分離可能な別部材なので、夫々を異なる物性の材料により形成することもできる。一般的なビーズ法発泡スチロール（ＥＰＳ：Ｅｅｘｐａｎｄｅｄ  ｐｏｌｙ−Ｓｔｙｒｅｎｅ）は、壊れ易いが、低コストで製造することができる。一方、ＥＰＳと、発泡ポリエチレン（ＥＰＥ：Ｅｘｐａｎｄｅｄ  Ｐｏｌｙ−Ｅｔｈｙｌｅｎｅ）との共重合体は、弾性に優れ、壊れにくいが、コスト高である。そこで、繰り返し使用されるパネル本体２には、ＥＰＳ−ＥＰＥ共重合体を用い、適宜に取り換え可能な入れ子部材３にＥＰＳを用いることにより、全体をＥＰＳ−ＥＰＥ共重合体で製造するよりも低コストで、全体をＥＰＳで製造するよりも壊れにくい水耕栽培用パネル１を得ることができる。
【００３４】
植物Ｐが植えられた栽培ポット４が装着される貫通孔３２は、植物Ｐの根が侵入し、収穫時に栽培ポット４ごと植物Ｐを取り外したときに、その界面で植物Ｐの根が切断されて貫通孔３２内部に残存することがある。残存した植物根は、貫通孔３２を洗浄しても容易には除去できず、残存した植物根が腐敗すると、病原菌の温床となる虞もある。本実施形態の水耕栽培用パネル１では、貫通孔３２に植物Ｐの根が入り込む等により、貫通孔３２が汚染された場合でも、水耕栽培用パネル１全体ではなく、入れ子部材３のみを交換すればよいので、メンテナンスも容易で、しかも低コストとすることができる。
【００３５】
また、貫通孔の内部への植物の根の侵入を抑制し、藻の発生を抑制することができる技術として、複数の発泡樹脂ビーズの間隙に、抗菌性を有する無機物を混合した樹脂が充填された水耕栽培用パネルがある（特許第５６９９００１号公報参照）。この技術において、無機物として、抗菌作用を有する銀ゼオライトが用いられるが、銀ゼオライトは高価であり、製造コストが高くなる。そこで、貫通孔３２が形成されている入れ子部材３に、銀ゼオライトを混合した発泡樹脂を用い、パネル本体２や、貫通孔３２が形成されていない入れ子部材３に、銀ゼオライトを混合していない通常の発泡樹脂を用いることで、銀ゼオライトによる抗菌作用を得ることができ、且つ水耕栽培用パネル１全体の製造コストを抑制することができる。
【００３６】
次に、上記実施形態の変形例に係る水耕栽培用パネル１について、図１０及び図１１を参照して説明する。図１０（ａ）乃至（ｄ）に示すように、本変形例に係る水耕栽培用パネルでは、上記実施形態とは貫通孔３２の形状が異なる入れ子部材３Ｄが用いられる。なお、パネル本体２は、上記実施形態と同じである（図１参照）。入れ子部材３Ｄの貫通孔３２は、入れ子部材３Ｄの上面側に開口した上孔３２ａと、下面側に開口した下孔３２ｂと、を有し、下孔３２ｂの開口は、上孔３２ａの開口よりも小さい（特に、図１０（ｄ）参照）。上孔３２ａは、入れ子部材３Ｄの上面側が円筒形状であり、下孔３２ｂに向けてテーパ状の先細り形状となっている。下孔３２ｂは、上孔３２ａよりも口径が小さい円筒形状である。図１１に示すように、この貫通孔３２では、上孔３２ａ及び下孔３２ｂの境界において、植物Ｐが植えられた栽培ポット４が保持される。
【００３７】
例えば、ホウレンソウ等の植物は、根の一部が空気に触れており、栽培ポット４が直接的に培養液６に接していない栽培条件が適している。このような植物を栽培する際には、水槽５に保持棚５１を設け、水耕栽培用パネル１の底面が、培養液６の水面よりも高い位置になるように、水耕栽培用パネル１を保持する必要がある。しかしながら、栽培ポット４は、その弾力性で貫通孔３２内に保持されており、上記実施形態のように、貫通孔３２が円筒形状である場合、植物Ｐや栽培ポット４の重みで、栽培ポット４の一部が、水耕栽培用パネル１の底面よりも下に垂れ下がり、培養液６に接してしまうことがある。
【００３８】
これに対して、本変形例では、貫通孔３２では、下孔３２ｂの開口が上孔３２ａの開口よりも小さいので、開口が狭くなった下孔３２ｂにより、栽培ポット４が締め付けられ、貫通孔３２に装着された栽培ポット４が下孔３２ｂの開口よりも上位置で保持される。従って、栽培ポット４が、水耕栽培用パネル１の底面より下位置に垂れ下がることを抑制し、培養液６に接することを防止することができる。これにより、栽培ポット４が直接的に培養液６に接していない栽培条件が適した植物を栽培するための水耕栽培用パネル１を得ることができる。
【００３９】
なお、本発明は、パネル本体２及び入れ子部材３が、分離可能な別部材として構成されたものであり、少なくとも１つの入れ子部材３に貫通孔３２が形成されたものでれば、上記実施形態に限らず、種々の変形が可能である。また、例えば、上記実施形態では、パネル本体２の貫通溝２２及び入れ子部材３が、水耕栽培用パネル１の長手方向に細長い構成例を示したが、水耕栽培用パネル１の短手方向に細長いものであってもよい。なお、１つのパネル本体２の貫通溝２２は、いずれも同形状であることが好ましいが、２種類又は３種類程度であれば、サイズが異なるものが含まれていてもよい。また、入れ子部材３が、水耕栽培用パネル１の長手方向に長細く、１つの入れ子部材３には１列に貫通孔３２が形成された構成を示したが、入れ子部材３は、図示したものよりも幅広であってもよく、１つの入れ子部材３には２列、又はそれ以上の貫通孔３２が形成されていてもよい。また、貫通孔３２の大きさは、入れ子部材３の幅が許す限りにおいて、複数種あってもよい。
【符号の説明】
【００４０】
１    水耕栽培用パネル
２    パネル本体
２１    平面板
２２    貫通溝
２３    上溝
２４    下溝
２６    凹部
３    入れ子部材
３２    貫通孔
３２ａ    上孔
３２ｂ    下孔
３３    上部材
３４    下部材
３５    凸部
【図１】
2019004810.tif 000003
【図２】
2019004810.tif 000004
【図３】
2019004810.tif 000005
【図４】
2019004810.tif 000006
【図５】
2019004810.tif 000007
【図６】
2019004810.tif 000008
【図７】
2019004810.tif 000009
【図８】
2019004810.tif 000010
【図９】
2019004810.tif 000011
【図１０】
2019004810.tif 000012
【図１１】
2019004810.tif 000013